(57)【特許請求の範囲】
【請求項１】
磁気記録再生装置に用いる回転型磁気ヘッドのテープ摺動面に接触回転しながら前記摺動面に付着した異物を除去するヘッドクリーナにおいて、
シート状不織布を交互に蛇腹状に折り込んで円筒状に形成してなるヘッドクリーナ。
【請求項２】
前記シート状不織布は、コットン繊維をジェット水流で交絡させた、バインダーを使用しないスパンレース不織布であることを特徴とする請求項１に記載のヘッドクリーナ。
【発明の詳細な説明】
【０００１】
【発明の属する技術分野】
本発明は回転磁気ヘッドを有する磁気記録再生装置のテープ摺動面に付着した異物を除去するために用いるヘッドクリーナに関する。
【０００２】
【従来の技術】
回転磁気ヘッドを用いるビデオテープレコーダ（ＶＴＲ）、デジタルテープレコーダ（ＤＡＴ）およびデジタルデータストレージ（ＤＤＳ）などの磁気記録再生装置において、回転磁気ヘッドのテープ摺動面に異物が付着するとスペーシングロスが発生したり、異物が磁気ヘッドギャップに入り込みヘッド目詰まり（ヘッドクロッグ）が発生する問題がある。
【０００３】
この問題が発生すると、回転磁気ヘッドの記録再生能力は低下し、また磁気テープの信頼性をも低下させ、信号の品質を著しく劣化させる。したがって、磁気記録再生装置においては、これらの付着物を回転磁気ヘッド表面から除去するヘッドクリーニング装置が必要となる。
【０００４】
上記の回転磁気ヘッドに付着する異物は、機器外部から混入した塵埃、ゴミあるいは回転磁気ヘッドや回転ドラムによって削り取られた磁気テープの磁性粉、バインダー、およびテープ走行系部材の磨耗紛等である。
【０００５】
以下に従来技術に係るヘッドクリーナ（１７）を、図１２を用いて説明する。
図１２は従来技術に係るヘッドクリーナ（１７）を用いたヘッドクリーニング装置（１６）および回転磁気ドラム装置の斜視図である。
【０００６】
従来の磁気記録再生装置においては、ウレタンスポンジ、フェルト、ポロン等の軟質部材を打ち抜いて構成した接触部（１８）と、軸受手段であるクリーニングローラ（１３）とからなる、回転磁気ドラム外周面に接触離間自在であり、かつ回転自在のヘッドクリーナ（１７）を備えている。
【０００７】
そして回転ドラムにヘッドクリーナ（１７）を接触させつつ回転ドラムを回転させることにより、回転ドラムの外周面のうち、回転磁気ヘッド（４）のテープ摺動面、および回転磁気ヘッド（４）の回転軌跡を含む所定の上下幅を有する領域をクリーニングするように構成されている。
この種のヘッドクリーナ（１７）を用いたヘッドクリーニング装置（１６）による回転磁気ヘッド（４）のクリーニングは、磁気テープ（不図示）のローディングの動作時等に所定時間行われるよう構成されていることが多い。
【０００８】
図１２において、ヘッドクリーニング装置（１６）は、ＶＴＲ等の磁気記録再生装置のシャーシベース（不図示）に固定されたベース部材（７）上に電磁ソレノイド（８）が固定されていると共に、ベース部材（７）上に固定された固定軸（９）を回転支点とするＬ型形状のクリーナアーム（１０）の一方の端部（１０ａ）が、スプリング（１１）を介して電磁ソレノイド（８）に保持されている。
【０００９】
また、クリーナアーム（１０）の他方の端部（１０ｂ）先端には固定軸（１２）が取付けられている。
固定軸（１２）が、中心に軸穴を有するクリーニングローラ（１３）（不図示）を挿通して軸支し、クリーニングローラ（１３）は固定軸（１２）によって回転自在に支持されている。
【００１０】
クリーニングローラ（１３）の両端にはフランジ（１３ｂ）が形成され、クリーニングローラ（１３）の外周には、円筒型に打抜いた軟質ポリウレタンスポンジやフェルト、ポロン等の軟質部材で形成された接触部（１８）が保持されており、一体となって回転するクリーニングローラ（１３）と接触部（１８）とがヘッドクリーナ（１７）を構成している。
【００１１】
【発明が解決しようとする課題】
上記に説明した従来技術に係るヘッドクリーナ（１７）おいては、比較的硬度の低い（柔らかい）軟質部材が回転磁気ヘッド（４）と接触し回転磁気ヘッド（４）の回転に応じて摺動する構成であったため、強固に付着した磁性粉などに対するクリーニング効果が低く、付着した異物を完全かつ確実に落とすことが出来ない、という課題が有った。
【００１２】
さらに、ヘッドクリーナ（１７）のクリーニング効果を高めようとして、回転磁気ヘッド（４）と接触する接触部（１８）の面積を大きくしようとすると、ヘッドクリーナ（１７）が大径化してＶＴＲ等の磁気記録再生装置の大型化を招くとともに、部材が大型化、重量化して回転時の騒音が大きくなる恐れもあった。
【００１３】
また他の従来技術によるヘッドクリーナ（不図示）では、接触部に用いる軟質部材に無機質の研磨粒子を含ませてクリーニング効果をアップさせる構成も提案されているが、研磨粒子自身が剥離して磁気テープおよび磁気ヘッドを傷つける恐れがあり、磁気記録再生装置の信頼性を低下させる恐れがあった。
【００１４】
さらに、近年のデジタルＶＴＲでは、従来のアナログＶＴＲに比べて回転ドラムの回転速度がより高速化しており、上記に説明した従来技術に係るヘッドクリーナ（１７）のように接触部（１８）に軟質部材を用いた構成では回転磁気ドラム（４）との接触部が早期に摩耗しクリーニング効果が失われてしまい、磁気記録再生装置が必要とする十分な耐久性が得られない、という課題もあった。
【００１５】
本発明は上記の状況に鑑みてなされたものであり、磁気記録再生装置に用いる回転型磁気ヘッドのテープ摺動面を接触しながら前記摺動面に付着した異物を除去するヘッドクリーナにおいて、回転磁気ヘッドに強固に付着した異物を確実に除去できる強力なクリーニング効果を有し、磁気記録再生装置の小型化、騒音の低減、信頼性向上を促進し、また高速回転する回転磁気ヘッドに対しても十分な耐久性を有するヘッドクリーナを提供することを発明の目的とする。
【００１６】
【課題を解決するための手段】
上記の課題を解決するために請求項１に記載の本願発明は、
「磁気記録再生装置に用いる回転型磁気ヘッド（４）のテープ摺動面に接触回転しながら前記摺動面に付着した異物を除去するヘッドクリーナ（１４）において、
シート状不織布を交互に蛇腹状に折り込んで円筒状に形成してなるヘッドクリーナ（１４）。」を提供する。
さらに、上記の課題を解決するために請求項２に記載の本願発明は、
「前記シート状不織布は、コットン繊維をジェット水流で交絡させた、バインダーを使用しないスパンレース不織布であることを特徴とする請求項１に記載のヘッドクリーナ（１４）。」を提供する。
【００１７】
【発明の実施の形態】
以下、本発明の一実施の形態について、図１乃至図１１に基づいて説明する。
尚、上記に説明した従来技術と共通する構成については同一の符号を付し、また説明の重複を避けるため、一部の説明を省略する。
【００１８】
図１は、本実施の形態に係るヘッドクリーナ（１４）がクリーニング時に回転中ドラム（３）に当接する状態を示す斜視図で、図２はその平面図である。
【００１９】
図１において、回転ドラム装置（１）は、磁気記録再生装置のシャーシベース（不図示）に僅かに傾斜して固定配接されている。
【００２０】
回転ドラム装置（１）は、外周部に磁気テープ（不図示）を螺旋状に案内するリード（２ａ）を形成した固定下ドラム（２）、固定下ドラム（２）と僅かに離間して同軸上に回転自在に支持され、外周面に複数の磁気ヘッド用窓（３ａ）を備え、その窓から僅かに突出した回転磁気ヘッド（４）を備えた回転中ドラム（３）、回転中ドラム（３）から僅かに離間して同軸上に支持された固定上ドラム（５）の三層ドラムで構成されている。
【００２１】
なお、本実施の形態においては、回転磁気ヘッド（４）を有する磁気記録再生装置は、上記に説明したＶＴＲにおける三層ドラムを有する構成として以下の説明を行なうが、本発明はこれに限定されるものではなく、例えばＶＨＳ方式ＶＴＲに用いられる固定下ドラムとその固定下ドラムに対して同軸上に回転する回転上ドラムの二層ドラム構成（不図示）でもよく、またその他の構成による回転磁気ヘッドを用いた磁気記録再生装置にも適用が可能である。
【００２２】
図１において、ヘッドクリーニング装置（６）は、シャーシベース（不図示）に固定されたベース部材（７）上に電磁ソレノイド（８）が固定されると共に、ベース部材（７）上に固定された固定軸（９）を回転支点とするＬ型形状のクリーナアーム（１０）の一方の端部（１０ａ）が、スプリング（１１）を介して電磁ソレノイド（８）に保持されている。
【００２３】
クリーナアーム（１０）の他方の端部（１０ｂ）先端には固定軸（１２）が取付けられ、この固定軸（１２）が、中心に軸穴を有するクリーニングローラ（１３）（図７参照）を挿通して軸支することにより、クリーニングローラ（１３）がクリーナアーム（１０）によって回転自在に支持されている。
【００２４】
さらにクリーニングローラ（１３）の両端にはフランジ（１３ｂ）が形成されていると共に、クリーニングローラ（１３）の外周面には円筒形状の不織布からなる、回転磁気ヘッド（４）をクリーニングするための接触部（１９）が固着されている。
クリーニングローラ（１３）と接触部（１９）とがヘッドクリーナ（１４）を構成している。
【００２５】
ここでヘッドクリーナ（１４）の接触部（１９）の材質を説明する。
接触部（１９）は、１枚のシート状の不織布を蛇腹状に折り曲げ、円筒形状となした構成としている（構成の詳細は後に説明する）。
【００２６】
不織布の材質は、本実施の形態においては、コットン繊維をジェット水流のみで交絡させて、バインダー（繊維の結合材）を一切使用しないスパンレース不織布により構成しており、例えば日清紡績（株）製オイコスＰＬ２１５０などを使用している。
【００２７】
なお本出願人の検討によれば、熱融着タイプのスパンボンド不織布、例えば出光石油化学（株）製ストラテックによって構成すると、繊維が外部に飛び散る結果となり、ヘッドクリーナに用いる材質としては適していないことが判明した。
【００２８】
再び図１に戻り、ヘッドクリーニング装置（６）は、このヘッドクリーナ（１４）の回転軸が回転磁気ヘッドドラム（３）の回転軸とほぼ平行となり、なおかつ回転中の回転中ドラム（３）に取付けられた複数の磁気ヘッド（４）をヘッドクリーナ（１４）がクリーニングできる位置に固定配設されている。
【００２９】
また、ヘッドクリーナ（１４）の大きさ（回転軸方向の長さ）は固定下ドラム（２）、回転中ドラム（３）および固定上ドラム（５）の外周面に同時に接触できる大きさに構成されている。
【００３０】
図１を用いて説明した上記の構成を上方から見た配置を、図２に示す。
【００３１】
次に本実施の形態におけるヘッドクリーナ（１４）の構成の詳細とその製造方法を図３乃至図１０を用いて説明する。
【００３２】
図３は本実施の形態における、ヘッドクリーナ（１４）を構成する不織布の平面図、図４はその不織布を折り曲げる構造を説明するための斜視図である。
図５は折り曲げた不織布を重ねた斜視図、図６は更に不織布を円柱状になし、接触部（１９）とした斜視図である。
図７はヘッドクリーナ（１４）の組立図、図８はクリーナローラ（１３）の外周に接触部（１９）を接着したヘッドクリーナ（１４）の組立て品を接着治具（２０）に取り付ける斜視図、図９は接着治具（２０）にヘッドクリーナ（１４）を取り付けた状態の斜視図、図１０は完成したヘッドクリーナ（１４）の斜視図である。
【００３３】
図３に示すように、接触部（１９）に用いる不織布は、ａなる幅を有する一枚の連続したシート状であり、細長い短冊状の外形を有する。
この不織布を図４に示すように、ｂなるピッチで交互の方向に折り曲げ、シートの一方の面に山と谷が交互に現れる蛇腹状とする。
【００３４】
そして、図５に示す様に面同士を重ね合わせて厚みｔの方向に積み重ねる。
更に図４及び図５における手前側（図に見えている側）の端面をＣと表示すると、折り曲げたシートの端面Ｃに対して他端側（図に見えていない側）の端面に接着剤を塗布し、図６に示すように端面Ｃを外周面とする円筒形状に巻き広げる。
更に図７に示すように、円筒形状にした不織布をクリーニングローラ（１３）の外周面に巻着してヘッドクリーナ（１４）の組立てを行なう。
【００３５】
クリーニングローラ（１３）の外周面に装着された段階で、接触部（１９）の不織布はヘッドクリーナ（１４）の回転軸に平行な方向に交互に折り込まれた構成となっている。
従ってヘッドクリーナ（１４）の外周面となり、回転磁気ヘッド（４）に接触してクリーニングを行なう不織布の端面は、折り曲げた端面ではなく切断した端面である。
【００３６】
次に、図８に示すような、軸方向の一方に開口部を有する中空円筒状でありかつ中心棒を有する接着治具（２０）の中心棒にクリーニングローラ（１３）の中心孔を挿入しつつ、組み立てたヘッドクリーナ（１４）を接着治具（２０）の内部に嵌入し、蛇腹状の不織布の外周面（端面Ｃ）を治具の内周面に当接させて、不織布全体を円筒形状に整えて固着させる。
【００３７】
図９はヘッドクリーナ（１４）を接着治具（２０）に嵌入して固着させつつある状態を示す。
以上の工程の後、接着剤の固化に必要な所定時間放置後に接着治具（２０）から取り出すことにより、図１０に示すように、クリーニングローラ（１３）と、その外周に不織布が円筒形状の蛇腹状に巻き付けられた接触部（１９）とを有するヘッドクリーナ（１４）が完成する。
【００３８】
次に本実施の形態のヘッドクリーナ（１４）の動作を図２を用いて説明する。
【００３９】
図２において、ヘッドクリーニング装置（６）は、テープ記録媒体（不図示）のローディング時など予め定められた所定のタイミングになると、ヘッドのクリーニングを開始するために、電磁ソレノイド（８）が駆動し、発生する電磁吸引力によりスプリング（１１）を介してＬ型形状のクリーナアーム（１０）の一端（１０ａ）が矢印Ａ方向に引き寄せられるように動作を行なう。
【００４０】
クリーナアーム（１０）は固定軸（９）に回動自在に取付けられているので、ヘッドクリーナ（１４）を有する他方のアームの端部先端（１０ｂ）が固定軸（９）を回転軸として矢印Ｂ方向に移動してヘッドクリーナ（１４）が回転磁気ヘッド（４）へ接触し、なおかつスプリング（１１）の力により所定の保持力で接触が保持され、ドラムの回転に応じて回転磁気ヘッドおよび回転ドラムのクリーニングが行われるように構成されている。
【００４１】
また、クリーニングが終了し、ヘッドクリーナ（１４）を回転磁気ヘッドから離す際には電磁ソレノイド（８）による電磁吸引力を解除し、上記に説明した、クリーニング開始時とは反対方向に各部材が移動し、その結果ヘッドクリーナ（１４）が回転磁気ヘッド（４）から離れる。
【００４２】
なお、図２では回転ドラムの回転軸に対して回転軸が平行となるようにヘッドクリーナ（１４）を取付けた構成としているが、図２とは異なり、ヘッドクリーナ（１４）を僅かに傾斜させて取付けて当接させ、回転ドラムの回転力によるヘッドクリーナ（１４）の回転速度を回転ドラムより減速させるように構成することも可能である（不図示）。
【００４３】
また、回転磁気ヘッド（４）やドラムのクニーニングを行なうタイミングは、テープ記録媒体のローディング、アンローディング時や、テープを高速で走行させるＦＦやＲＥＷ時、また、例えば所定の期間静止画再生状態が連続して行われる場合に、所定のタイミングで行われるようにしてもよい。
さらに回転磁気ヘッド（４）の異物付着による再生信号が低下した時や、エラーレートを算出してそのエラーレートが所定の値以下の場合に動作させてもよい。
【００４４】
次に、ヘッドクリーナ（１４）の接触部（１９）に用いる材質を比較検討し、本実施の形態に係るヘッドクリーナ（１４）の有効性を確認する目的で本出願人が実施した、耐久試験およびその結果について説明する。
【００４５】
上記の耐久試験の試験方法は、ヘッドクリーナ（１４）を磁気記録再生装置であるＤ−９方式ＶＴＲに取付けて、記録済み磁気テープを再生しながら１秒毎間欠でヘッドクリーナ（１４）を回転ヘッドに所定の接触圧で押し当て、またその再生出力信号を確認する方法によった。
【００４６】
その結果によれば、ウレタンスポンジを円筒状に打ち抜いて構成した、図１２に示した従来技術に係るヘッドクリーナ（１７）では、１００００回程度の接触によって、ヘッドクリーナ（１７）の回転ヘッドとの接触部（１８）が摩耗して削り取られ、磁気ヘッドに接触出来ない形状になった。
【００４７】
一方、上記に説明した本実施の形態のヘッドクリーナ（１４）の場合は、１０００００回の接触に際しても磨耗を軽微にとどめる事が出来た。
【００４８】
しかも、蛇腹状に折り曲げた不織布の端面が順次回転磁気ヘッド（４）の形に合わせて変形してヘッドに接触するので、回転磁気ヘッド（４）に付着した異物を確実にかつ効率よく取り除くことができるとともに、また映像信号、音声信号などの再生出力波形も常に良好な状態に維持されていることが確認できた。
【００４９】
すなわち本実施の形態に係るヘッドクリーナ（１４）は、その耐久性が飛躍的に向上すると共に十分なクリーニング効果が得られ、ＶＴＲ等磁気記録再生装置の品質および信頼性も向上させるとともに、大きな外形寸法を必要としないので磁気記録再生装置の小型化、低騒音化を促進する効果を奏するものである。
【００５０】
特に磁気記録再生装置は、記録媒体の高密度化に伴い回転磁気ヘッドが高速回転化へ進む傾向にあり、ますますヘッドクリーナの高い耐久性能が必要とされてきているので、上記に説明した本実施の形態のヘッドクリーナ（１４）を用いて装置の長寿命化を図ることにより、装置のメンテナンス上多大なメリットをもたらすものである
【００５１】。
その他にも本実施の形態のヘッドクリーナ（１４）によれば、上記に説明したように一枚の連続した不織布を蛇腹状に折り曲げて円筒形状をなすようにして接触部（１９）を構成しているので、不織布を中心軸から放射状に取り付ける他の構成、例えば多数の小片に切断した不織布を用意し、その一枚一枚の不織布の切断端面をローラの外周に固着する構成と比較して、製造が容易であり、短時間で製造でき歩留りが向上し製造コストを低減する効果を生ずる。
【００５２】
更に、同様に一枚の連続した不織布を蛇腹状に折り曲げて円筒形状をなすようにして接触部（１９）を構成していることから、万が一接着剤によるローラの外周への不織布の固着が部分的に剥離した場合でも、小片に切断した不織布がヘッドクリーナ（１４）から脱落して磁気記録再生装置の機構内部に入り込み装置の作動不良をもたらす恐れが無く、従って磁気記録再生装置の信頼性を向上させる効果をもたらす。
【００５３】
またクリーニングの際に回転ドラムに接触する接触部（１９）が同様に一枚の連続した不織布を蛇腹状に折り曲げて円筒形状をなすようにして構成したので、不織布の端面が順次ヘッドに接触することで、回転磁気ヘッドに付着した異物を効率よく除去するとともに、除去した異物を不織布に補集して回転型磁気ヘッドへの再付着を防止することができる。したがって、本実施の形態のヘッドクリーナ（１４）を用いることにより信頼性の高い磁気記録再生装置を提供することができる。
【００５４】
それとともに、不織布を蛇腹状に折込むことにより、接触部（１９）は広い接触面積で回転磁気ヘッドに接触し、付着した汚れを除去するよう構成したので、クリーニングの効果が向上し、回転磁気ヘッドの目詰まりが十分に低減され、長時間に渡ってクリーニング効果を維持することができるので、磁気記録再生装置の信頼性を更に向上させる効果がある。
【００５５】
尚、上記の本実施の形態の説明において、接触部（１９）を構成するための不織布は一枚（一層）のシートを交互に折り曲げて構成したことを説明したが、本発明の実施に当たっては上記の構成に限定する必要はなく、例えば不織布のシートを２枚あるいはそれ以上重ねた後に交互に折り曲げるように構成してもよい。
【００５６】
図１１に２枚の不織布を重ねて交互に折り曲げた状態を示す。このように構成することで、上記に説明した効果に加えて、複数枚の不織布が重なっていることから接触部（１９）の耐久性が更に向上する効果、同じ層数の接触部（１９）を構成するために必要な折り曲げ個所の数が減ることから、製造工数を更に低減し、製造コストを下げる効果をもたらす。
【００５７】
さらに、上記に説明した本発明に係る一実施の形態においては、図３乃至図７を用いて説明したように、不織布をヘッドクリーナ（１４）の回転軸に平行な方向に交互に折り曲げて接触部（１９）を構成している。
【００５８】
しかし連続した不織布を蛇腹状に折り曲げた後、円筒状になして接触部（１９）を構成する方法は他にも可能である。
例えば不織布の折れ曲がり端面がヘッドクリーナ（１４）の外周側に面するように、すなわちヘッドクリーナ（１４）のラジアル方向に交互に不織布を折り曲げた構成としてもよい。
【００５９】
上記の構成によっても、先に説明した本発明の一実施の形態に係るヘッドクリーナ（１４）と同様な効果が発揮されるものである。
【００６０】
【発明の効果】
以上詳細に説明したように、請求項１に記載の本発明は、磁気記録再生装置に用いる回転型磁気ヘッド（４）のテープ摺動面に接触回転しながら前記摺動面に付着した異物を除去するヘッドクリーナ（１４）において、連続したシート状不織布を交互に蛇腹状に折り込んで円筒状に形成した、前記摺動面に接触する接触部（１９）を有する構成としたので、回転磁気ヘッド（４）に強固に付着した異物を確実に除去できる強力なクリーニング効果を有し、磁気記録再生装置の小型化、騒音の低減、信頼性向上を促進し、また高速回転する回転磁気ヘッド（４）に対しても十分な耐久性を有するヘッドクリーナ（１４）を提供する効果を奏するものである。
【００６１】
さらに、請求項２に記載の本発明は、請求項１に記載のヘッドクリーナ（１４）において用いるシート状不織布を、コットン繊維をジェット水流で交絡させた、バインダーを使用しないスパンレース不織布としたので、上記の効果に加えて、繊維が外部に飛び散ることが少なく、耐久性と信頼性とがより向上したヘッドクリーナ（１４）を提供する効果が加わる。
【図面の簡単な説明】
【図１】本発明の一実施の形態に係るヘッドクリーナが回転ヘッドドラムに当接する状態を示す斜視図である。
【図２】本発明の一実施の形態に係るヘッドクリーナが回転ヘッドドラムに当接する状態を示す平面図である。
【図３】本発明の一実施の形態に係るヘッドクリーナを構成する不織布の平面図である。
【図４】本発明の一実施の形態に係るヘッドクリーナを構成する不織布を折り曲げる構造を説明するための斜視図である。
【図５】本発明の一実施の形態に係るヘッドクリーナを構成する不織布において、折り曲げた不織布を重ねた斜視図である。
【図６】本発明の一実施の形態に係るヘッドクリーナを構成する不織布において、更に不織布を円筒状になし、接触部とした斜視図である。
【図７】本発明の一実施の形態に係るヘッドクリーナの組立図である。
【図８】本発明の一実施の形態に係るヘッドクリーナの組立て品を接着治具に取り付ける斜視図である。
【図９】本発明の一実施の形態に係るヘッドクリーナにおいて、接着治具にヘッドクリーナを取り付けた状態の斜視図である。
【図１０】本発明の一実施の形態に係るヘッドクリーナにおいて、完成したヘッドクリーナの斜視図である。
【図１１】本発明の一実施の形態に係るヘッドクリーナにおいて、他の構成による接触部の斜視図である。
【図１２】従来技術に係るヘッドクリーナを説明するための、回転ドラム装置およびヘッドクリーニング装置の斜視図である。
【符号の説明】
１  回転ドラム装置
２  固定下ドラム
２ａ  リード
３  回転中ドラム
３ａ  磁気ヘッド用窓
４  回転磁気ヘッド
５  固定上ドラム
６  ヘッドクリーニング装置
７  ベース部材
８  電磁ソレノイド
９  固定軸
１０  クリーナアーム
１０ａ  端部
１０ｂ  端部
１１  スプリング
１２  固定軸
１３  クリーニングローラ
１３ｂ  フランジ
１４  ヘッドクリーナ
１６  ヘッドクリーニング装置
１７  ヘッドクリーナ
１８  接触部
１９  接触部
２０  接着治具
【図１】
0003630294.tif 000002
【図２】
0003630294.tif 000003
【図３】
0003630294.tif 000004
【図４】
0003630294.tif 000005
【図５】
0003630294.tif 000006
【図６】
0003630294.tif 000007
【図７】
0003630294.tif 000008
【図８】
0003630294.tif 000009
【図９】
0003630294.tif 000010
【図１０】
0003630294.tif 000011
【図１１】
0003630294.tif 000012
【図１２】
0003630294.tif 000013